(57)【要約】【課題】利用者が安全確認ミラーを取り付けた移動補助機を使用中に転倒した場合や、安全確認ミラーが他物体や他人とぶつかった場合であっても、安全確認ミラーによって利用者自身や他人が負傷したり、他物体が損傷することを回避できるようにした安全確認ミラーを提供する。【解決手段】ミラー５を鏡面のみを露出させてミラー保持枠２により保持し、このミラー保持枠２を台座３によって傾斜および回動自在に支持させ、この台座３を車椅子１６、歩行器１７、点滴スタンド１８などの移動補助機に取り付けることにより安全確認ミラー１を設置し、ミラー保持枠２および台座３のそれぞれをエラストマー製にした。【選択図】図１
2018001767.tif 000002
【特許請求の範囲】
【請求項１】
ミラーを鏡面のみを露出させて保持するミラー保持枠と、このミラー保持枠を傾斜および回動自在に支持する台座と、この台座を移動補助機に取り付ける取付部材とから構成され、前記ミラー保持枠および台座がそれぞれエラストマーからなる安全確認ミラー。
【請求項２】
前記エラストマーのＪＩＳ  Ｋ  ６２５３に規定されるデュロメータタイプＡ（ショアＡ）のゴム硬さが８０〜９０である請求項１に記載の安全確認ミラー。
【請求項３】
前記ミラー保持枠は、正面視が四角形であると共に、側面視が上端から下端に向けて徐々に幅が拡大する紡錘形状に形成されている請求項１または２に記載の安全確認ミラー。
【請求項４】
前記台座が互いに独立の上側台座と下側台座とからなり、前記上側台座と下側台座とが磁力で着脱自在に連結されている請求項１〜３のいずれかに記載の安全確認ミラー。
【請求項５】
前記上側台座および前記下側台座は、平面視が長方形であると共に、これら上側台座と下側台座との対向面の一方には長手方向に沿って複数個の磁石が列状に配置され、他方には長手方向に沿って磁性金属プレートが配置されている請求項４に記載の安全確認ミラー。
【請求項６】
平面視で前記長手方向と直交する方向からの前記上側台座の正面視形状が逆台形状である請求項４または５に記載の安全確認ミラー。
【請求項７】
前記上側台座の長手方向両側の端面に、それぞれ多数の凸状突起からなる滑り止めを有する請求項４〜６のいずれかに記載の安全確認ミラー。
【請求項８】
前記下側台座の底面に一体化した可撓性の巻付けシートを備えて、その巻付けシートの巻付け面に多数の凸状突起からなる滑り止めを有する請求項４〜７のいずれかに記載の安全確認ミラー。
【請求項９】
前記取付部材が、前記台座の底部に挿通されて表面に面ファスナーを具備するバンドからなり、このバンドが前記面ファスナーの任意の２箇所で着脱可能に連結してループ状に形成可能になっている請求項１〜８のいずれかに記載の安全確認ミラー。
【発明の詳細な説明】
【技術分野】
【０００１】
本発明は安全確認ミラーに関し、さらに詳しくは、車椅子、歩行器、点滴スタンド、ベビーカーなどの移動補助機に取り付けて使用する安全確認ミラーに関するものである。
【背景技術】
【０００２】
病院などの施設では、患者や障害者などが、車椅子、歩行器（歩行車）或いは点滴スタンドなどの移動補助機を使用して、手動、電動などで自力または介助移動を行えるようにしている。また、街中ではベビーカーが幼児を運ぶ移動補助機として使用されている。
【０００３】
上記の施設や街中は多くの人が往来するため、上述したような移動補助機が移動中に往来する人々と接触することがあり、最悪の場合には接触時に転倒したりすることがある。これらの事故は、移動補助機の利用者が背面や側方の状況に気付き難いことが一因である。これら利用者が目視し難い範囲を把握できるようにするために、例えば、車椅子のフレームにバックミラーを安全確認ミラーとして取り付けたものが提案されている（特許文献１参照）。また、自転車用部品のバックミラーを車椅子などの移動補助機に取り付ける試みなどもある。
【０００４】
しかしながら、これら従来の提案は、いずれも安全確認ミラーが金属などの硬質材料で構成されているため、利用者が車椅子などの移動補助機と共に転倒した場合、安全確認ミラー上に利用者の身体が落下して負傷することがある。また、移動補助機が移動中に他物体や他人等とすれ違う際、安全確認ミラーの端部が他物体または他人を引っ掛けたり、衝突したりした場合には、安全確認ミラーが損傷するだけでなく、他物体を破損させたり、他人を負傷させたりすることがある。
【先行技術文献】
【特許文献】
【０００５】
【特許文献１】特開２００２−２８１８８号公報
【発明の概要】
【発明が解決しようとする課題】
【０００６】
本発明の目的は、利用者が安全確認ミラーを取り付けた移動補助機を使用中に転倒した場合や、安全確認ミラーが他物体や他人を引っ掛けたり、衝突した場合であっても、利用者自身や他人が負傷したり、他物体が損傷したりすることを回避できるようにした安全確認ミラーを提供することにある。
【課題を解決するための手段】
【０００７】
上記目的を解決するための本発明の安全確認ミラーは、ミラーを鏡面のみを露出させて保持するミラー保持枠と、このミラー保持枠を傾斜および回動自在に支持する台座と、この台座を移動補助機に取り付ける取付部材とから構成され、前記ミラー保持枠および台座がそれぞれエラストマーからなることを特徴とする。
【発明の効果】
【０００８】
本発明によれば、安全確認ミラーの主要構成部であるミラー保持枠と台座がそれぞれエラストマーで構成されているので、利用者が移動補助機を使用中に転倒して安全確認ミラーの上に落下した場合であっても、ミラー保持枠や台座が弾性変形することによって利用者が負傷することを防ぐことができる。また、ミラー保持枠や台座が弾性変形するので、安全確認ミラーが他人や他物体を引っ掛けたり、衝突した場合であっても、他人を負傷させたり、他物体を損傷させたりすることを回避できる。
【図面の簡単な説明】
【０００９】
【図１】図１は本発明の安全確認ミラーの実施形態を例示する斜視図である。
【図２】図１の安全確認ミラーの正面図である。
【図３】図２の安全確認ミラーの左側面図である。
【図４】図２のΙ−Ι断面図である。
【図５】図３のＩＩ−ＩＩ断面図である。
【図６】図１の上側台座と下側台座とを分離させた状態を例示する斜視図である。
【図７】図１のバンドの縦断面を例示する拡大図である
【図８】車椅子での安全確認ミラーの設置位置を例示する説明図である。
【図９】歩行器での安全確認ミラーの設置位置を例示する説明図である。
【図１０】点滴スタンドでの安全確認ミラーの設置位置を例示する説明図である。
【発明を実施するための形態】
【００１０】
図１〜６に本発明の安全確認ミラー１を例示する、この安全確認ミラー１は例えば、図８に示す車椅子１６、図９に示す歩行器１７、図１０に示す点滴スタンド１８などの移動補助機に対して、フレームなどの適切な取付位置Ｐに取り付けられて使用される。
【００１１】
この安全確認ミラー１は、ミラー保持枠２、台座３、取付部材４などの各部品を連結して構成され、そのうちのミラー保持枠２にミラー５が取り付けられている。これら部品のうち、ミラー保持枠２、台座３は、それぞれエラストマーにより一体成形されている。エラストマーはゴム状の弾性重合体であり、例えば加硫ゴムや軟質樹脂等である。
【００１２】
ミラー保持枠２は、正面視が長方形の箱形に形成され、正面にミラー５の鏡面だけ露出させる窓を有している。このミラー保持枠２は、背面にミラー５を保持する壁面を有している。
【００１３】
この長方形箱形のミラー保持枠２は、正面視は四角形であるが、側面視は上部の幅寸法が小さく、下部に向かうほど幅寸法が大きくなる紡錘形をしている。そのためミラー保持枠２の重心は下部に位置している。また、このミラー保持枠２は、一体成形されている球形状の連結凸部６を下部の幅方向中央に有している。
【００１４】
ミラー保持枠２に保持されるミラー５は、透明樹脂からなる凸面鏡や平面鏡などや、又は凸面鏡機能を有するフレネルミラーなどが使用される。これら凸面鏡、平面鏡、フレネルミラーなどを構成する透明樹脂基材は、硬質の基材だけに限定されず、厚さ０．５ｍｍ〜１．０ｍｍ程度の柔軟な樹脂フィルムも好ましく使用される。
【００１５】
この実施形態の台座３は、上側台座３ａと下側台座３ｂとの互いに独立した２部品が着脱自在に連結されて構成されている。そして、上側台座３ａと下側台座３ｂとは平面視がほぼ長方形に形成されている。尚、図中の矢印Ｌの方向は台座３の長手方向を示し、矢印Ｗの方向は台座３の幅方向を示している。台座３の幅方向Ｗは、長手方向Ｌに対して平面視で直交する方向である。
【００１６】
上側台座３ａは、その上面に半球面状の連結凹部７を有している。この連結凹部７と、ミラー保持枠２の連結凸部６とが着脱自在に嵌合している。この連結凸部６と連結凹部７との嵌合により、ミラー保持枠２は上側台座３ａに対して回動自在であると共に、任意の方向に傾斜自在になっている。
【００１７】
上側台座３ａと下側台座３ｂとが着脱自在に連結した嵌合部は、図４、図５に例示するように上側台座３ａが凹部であるのに対して、下側台座３ｂが凸部になっている。上側台座３ａの下面に形成されている凹部には、磁性金属プレート８が長手方向Ｌに沿って表面だけ露出するように埋設されている。また、下側台座３ｂの上面に形成されている凸部には、３個の磁石９が長手方向Ｌに列状に表面だけ露出するように埋設されている。したがって、上側台座３ａと下側台座３ｂとは、磁性金属プレート８に対する磁石９の磁力により着脱自在に連結している。
【００１８】
上記構成において、上側台座３ａと下側台座３ｂとの間の磁石９と磁性金属プレート８の配置関係は、図示の例とは逆の関係に配置されていてもよい。また、磁石９の配置個数としては、２個以上の複数個であればよく、図の実施形態のように３個に限定されるものではない。
【００１９】
下側台座３ｂの下部には、幅方向Ｗに貫通するスリット１３が設けられ、さらに下側の底面には幅方向Ｗに延在する巻付けシート１１が一体に形成されている。巻付けシート１１の下面には多数の凸状突起１２からなる滑り止めが形成されている。
【００２０】
取付部材４は、可撓性のバンド４ａと、その片方の端部に取り付けた長方形リング４ｂとから構成されている。バンド４ａは、下側台座３ｂのスリット１３を通り抜けるように差し込まれている。
【００２１】
このバンド４ａは図７に例示するように、その帯状の基布１４の片面に剛性モノフィラメントを織り込んで多数のループ１５を密植形成した面ファスナーを形成している。この面ファスナーに形成された多数のループ１５の面どうしを接圧すると面どうしが接合し、また引きはがすと離脱させることができる。
【００２２】
したがって、安全確認ミラー１を取り付ける際には、移動補助機の取付位置Ｐとなるフレームに下側台座３ｂの巻付けシート１１を当てると共に、さらにバンド４ａを巻き付けながら、その先端をリング４ｂに通して巻き締める。その後、図２の一点鎖線のように折り返した端部をバンド４ａの本体の表面に接圧する。このように面ファスナーの任意の２箇所を対向させて押圧すると、面ファスナーの多数のループ１５どうしが係合して接合し、バンド４ａは環状に形成される。これにより、安全確認ミラー１を移動補助機のフレームに容易に取り付けることができる。
【００２３】
可撓性の巻付けシート１１やバンド４ａは柔軟に対応して巻き付くので、移動補助機の取付位置Ｐのフレームなどの断面形状が、機種毎に丸、角、Ｌ形など色々に異なっていたとしても、これら異なる形状に追従して確実かつ簡単に取付けることができる。取付位置Ｐは多種多様な形状なので、このように高い汎用性を有する取付手段は非常に有益である。
【００２４】
安全確認ミラー１を移動補助機のフレームなどに取り付ける場合、安全確認ミラー１が移動補助機の走行車輪よりも外側に突出しないように取り付けることが好ましい。走行車輪よりも横外側に突出した取付けにすると、安全確認ミラー１が通路側壁に接触するなどして、移動の障害になることがあるためである。
【００２５】
安全確認ミラー１を移動補助機に取り付けることで、移動補助機の利用者は、従来目視し難くかった背面や側面の状況を安全確認ミラー１のミラー映像によって容易に把握することができる。そのため、移動補助機の利用者は、多数の人が往来する通路などを安全に移動することができる。
【００２６】
仮に、利用者が移動補助機を使用中に転倒して安全確認ミラー１の上に体が落下した場合であっても、ミラー保持枠２と台座３がそれぞれエラストマーで構成されているので、ミラー保持枠２や台座３が弾性変形することにより、落下時の衝撃を緩和することができる。ミラー５が硬質材料で形成されていても、その鏡面以外は弾性のミラー保持枠２により被覆されているため、利用者がミラー５から受ける衝撃力は緩和される。また、ミラー保持枠２と台座３とが傾斜および回動自在に連結されているので、受けた外力を逃がすようにミラー保持枠２と台座３との相対位置が変化することで衝撃を緩和し、利用者が安全確認ミラー１に接触することに起因する負傷を防ぐことができる。
【００２７】
また、移動補助機のすれ違い時に安全確認ミラー１が他人や他物体を引っ掛けたり、衝突したりしたとしても、上記と同様の効果により、他人を負傷させたり他物体を損傷させたりすることを回避できる。安全確認ミラー１自体も損傷し難くなる。
【００２８】
本発明において、ミラー保持枠２および台座３に使用されるエラストマーは、ＪＩＳ  Ｋ  ６２５３に規定されるデュロメータタイプＡ（ショアＡ）のゴム硬さが８０〜９０であることが好ましい。ゴム硬さが８０〜９０であることにより、移動補助機の移動中において安全確認ミラー１を安定支持し、ミラー５に安定な映像が得られるようにすると共に、他物体等に衝突したり、引掛けたりした時の衝撃を効果的に緩和し、自他の破損や怪我の防止に高い効果を奏することができる。ミラー保持枠２のエラストマーと台座３のエラストマーとは、ゴム硬さが同じであることが好ましいが、互いに異なるゴム硬さであってもよい。互いに異なるゴム硬さにする場合は、ミラー保持枠２に使用されるエラストマーの方を、台座３に使用されるエラストマーよりもゴム硬さを小さくすることが好ましい。
【００２９】
この実施形態のミラー保持枠２は、側面視が紡錘形をしていて重心が下方に偏心しているので、移動補助機が移動中に他物体等とすれ違い時に、ミラー保持枠２の上端側が他物体等を引っ掛けたり、衝突したりしたとしても、上端側が大きく変位して、その衝撃を吸収することができる。これに加えて、エラストマーで形成されていることとの相乗作用により、ミラー保持枠２は優れた耐久性を有している。
【００３０】
本発明の安全確認ミラー１は、図８〜１０に例示した移動補助機に限らず、ベビーカーや量販店等で使用される買い物用カートなどの移動補助機にも取り付けることができる。また、安全確認ミラー１が取り付けられる車椅子は、その形式（タイプ）には限定されない。すなわち、ＪＩＳ規格で分類される手動車椅子および電動車椅子のいずれにも適用することができる。また、手動車椅子のうちの自走用および介助用、電動車椅子のうちの自操用および介助用についても適用することができる。
【００３１】
移動補助機の利用者が障害者であって、指先が自由に使えない、握力がない等の障害を有していても、両手の掌の間に挟む把持操作は容易に出来るという人は多い。このような障害者用の安全確認ミラー１には、上側台座３ａを、幅方向Ｗから見た正面視形状が図３、図４に例示したように、上辺が下辺に比して長くなった逆台形状にしたものを使用することが好ましい。また、上側台座３ａの長手方向Ｌの端面に、多数の凸状突起１０を滑り止めとして設けるとよい。
【００３２】
このように上側台座３ａを逆台形状にしたり、長手方向Ｌの端面に滑り止めを形成することにより、利用者が指を自由に使えない、握力がない等の障害者であっても、上側台座３ａの長手方向の両端を両手の掌の間に挟んで操作すれば、簡単に取り外すことができる。
【００３３】
この実施形態では、台座３が互いに独立の上側台座３ａと下側台座３ｂと磁力で着脱自在に構成されているので、安全確認ミラー１を移動補助機から一時的に取り外したい場合に、下側台座３ｂだけを移動補助機に残して主要構造部を簡単に取り外すことができる。また、取り外した安全確認ミラー１の主要構造部の再取付けも容易に行える。
【００３４】
上側台座３ａを下側台座３ｂから離脱させる操作は、上側台座３ａと下側台座３ｂの間を並行に保つように引き離してもよいが、好ましくは図６に例示するように上側台座３ａの長手方向Ｌの一方の端部を斜めに引き上げて引き離すようにするとよい。このように引き離すと、小さな力で簡単に互いを離脱させることができる。これにより、利用者が指先を自由に使えない、握力がない等の障害者であっても、上側台座３ａと下側台座３ｂとの分離、連結操作を容易に行うことができる。
【符号の説明】
【００３５】
１  安全確認ミラー
２  ミラー保持枠
３  台座
３ａ  上側台座
３ｂ  下側台座
４  取付部材
４ａ  バンド
４ｂ  リング
５  ミラー
６  連結凸部
７  連結凹部
８  磁性金属プレート
９  磁石
１０  凸状突起
１１  巻付けシート
１２  凸状突起
１３  スリット
１４  基布
１５  ループ
１６  車椅子
１７  歩行器
１８  点滴スタンド
【図１】
2018001767.tif 000003
【図２】
2018001767.tif 000004
【図３】
2018001767.tif 000005
【図４】
2018001767.tif 000006
【図５】
2018001767.tif 000007
【図６】
2018001767.tif 000008
【図７】
2018001767.tif 000009
【図８】
2018001767.tif 000010
【図９】
2018001767.tif 000011
【図１０】
2018001767.tif 000012